(57)【特許請求の範囲】
【請求項１】
加入者情報を記憶するデータベースを備えたテレコミュニケーションネットワークの通信時間巾を限定する方法において、
少なくとも１つの限定テーブルを形成する段階であって、上記限定テーブルは、コール形式とコールの行先を指示するコール方向とに基づいて加入者の通信時間巾を監視し限定し、また、特定の制限値に関連した少なくとも１つのアクションパラメータを含む、限定パラメータを含んでいる、上記段階と、
加入者情報を記憶する上記データベースにおける加入者特有データの状態パラメータにより、ある加入者に対して時間巾限定を使用状態にセットする段階、そして
上記加入者に対して時間巾限定が使用状態にセットされたときに、次の段階、即ち
上記テレコミュニケーションネットワークの交換センターに対して上記限定テーブルから当該通信に関連した限定パラメータを検索する段階と、
その検索された限定パラメータに基づき通信時間巾を上記交換センターで監視する段階と、そして
上記特定の制限値に達したことを指示し上記アクションパラメータに基づくアクションを行う段階と、
を実行することを特徴とする方法。
【請求項２】
上記アクションパラメータに基づくアクションは上記加入者の通信を限定することを備える請求項１に記載の方法。
【請求項３】
上記アクションパラメータに基づくアクションは上記特定の制限値に達したことについてネットワークにレポートを与えることを備える請求項１に記載の方法。
【請求項４】
上記アクションパラメータに基づくアクションは上記特定の制限値に達したことについてネットワークにアラームを与えることを備える請求項１に記載の方法。
【請求項５】
上記アクションパラメータに基づくアクションは上記特定の制限値に達したことをネットワークのオペレータに指示することを備える請求項１に記載の方法。
【請求項６】
加入者情報(41)を記憶するデータベースと、加入者の通信時間巾を監視する監視手段(44)とを備えたテレコミュニケーションネットワークの通信時間巾を限定する構成体において、
限定パラメータを伴う少なくとも１つの限定テーブルを含む記憶装置(42)であって、上記限定パラメータは、コール形式とコールの行先を指示するコール方向とに基づいて加入者の通信時間巾を監視し、また、特定の制限値に関連した少なくとも１つのアクションパラメータを含む、上記記憶装置(42)と、
上記加入者に対して時間巾限定が使用されるかどうかを指示する、加入者情報を記憶する上記データベースにおける加入者特有データ(41)の状態パラメータと、
限定テーブルから当該通信に関連した限定パラメータを検索する検索手段(43)と、
交換センター(MSC)に関連して配置され、上記特定の制限値に達したことを監視し指示し上記アクションパラメータに基づくアクションを行うよう構成された、監視手段(55)と、
を備えたことを特徴とする構成体。
【請求項７】
上記特定の制限値は、通信時間巾の時間限界を含む請求項６のいずれかに記載の構成体。
【請求項８】
上記特定の制限値は、通信時間巾の時間限界を含み、上記少なくとも１つのアクションパラメータは上記時間限界に達したときに実行されるべきアクションを定義する請求項６に記載の構成体。
【発明の詳細な説明】
【０００１】
【技術分野】
本発明は、テレコミュニケーションネットワーク、特に、移動通信ネットワークにおける通信時間巾限定方法及び構成体に係る。
【０００２】
【背景技術】
近代的なテレコミュニケーションネットワークは、コールを導くときに多数の補足的なサービスを加入者に提供する。コール再送（ＣＦ）は、被呼者がネットワークに全ての入呼びを所定番号にルート指定させることのできる補足サービスである。コール転送（ＣＴ）は、加入者が確立された入呼び又は出呼びを第三者に転送することのできる別の補足サービスである。このような補足サービスは、料金を支払わずにテレコミュニケーションサービスを利用しようとする不正行為の兆しを呈している。移動通信ネットワークは、特に不正使用に曝されている。通常、不正ユーザは、偽の認識で、電話料金を支払う意志なく契約をする。最も一般的な形式の不正行為は、再送又は転送コールのような販売コールの機能に関連している。このような場合、不正ユーザは、希望の電話番号を不正契約のための再送番号としてプログラムし、その後、発呼者は、例えば、ローカルコールについてしか料金を支払わない。良好な管理を行わないと、「プレミウムレート」又は国際番号のような経費高の行先にコールすることにより多額の未払い勘定が発生し得る。ネットワークオペレータは、このような悪用を検出しそして最も早い機会にそれを停止することに著しい関心がある。
【０００３】
添付図面の図１は、ＧＳＭ移動通信システムの簡単なブロック図である。移動ステーションＭＳは、無線経路を経てベーストランシーバステーションＢＴＳ、図１ではベースステーションＢＴＳ１に接続される。ベースステーションサブシステムＢＳＳは、ベースステーションコントローラＢＳＣと、これにより制御されるベースステーションＢＴＳとで構成される。移動サービス交換センターＭＳＣは、通常、多数のベースステーションコントローラＢＳＣを制御し、そして他の移動サービス交換センター及びＧＭＳＣ（ゲートウェイ移動サービス交換センター）に接続される。ＧＭＳＣを経て、ＧＳＭネットワークは、ＰＳＴＮ（公衆サービス電話ネットワーク）のような他のネットワークや、別の移動通信ネットワークＰＬＭＮや、ＩＳＤＮネットワークや、インテリジェントネットワークＩＮや、ショートメッセージサービスセンターＳＭＳＣに接続される。ＧＳＭシステム全体のオペレーションは、オペレーション・メンテナンスセンターＯＭＣにより監視される。移動ステーションＭＳの加入者情報は、ホーム位置レジスタＨＬＲに永久的に記憶されると共に、移動ステーションＭＳが現在位置するエリアのビジター位置レジスタＶＬＲに一時的に記憶される。加入者情報は、加入者に権利のある全てのサービスに関する情報と、加入者の現在位置とを含む。移動ステーションＭＳの位置に関する情報は、位置エリアＬＡの精度でビジター位置レジスタＶＬＲに記憶される。
【０００４】
多額の未払い勘定を防止する１つの方法は、コールの時間巾を制限することである。あるネットワークでは、コールの時間巾を制限する交換センター特有のパラメータが使用される。これらの制限パラメータは、全加入者及び全コール形式に対して共通である。それ故、１つのＭＳＣ内では、全てのコールが、例えば、１時間に制限される。この時間限界を越えると、コールが解除されるか、又は他のネットワーク要素特有のアクションが遂行され、例えば、オペレータにレポートが送られる。
既知の不正防止方法に伴う問題は、コールの時間巾を、全加入者の全コールに使用されるか又は全く使用されないデフォールト値でしか限定できないことである。加入者ベースで限界値を定義することはできない。更に、オペレータは、異なる加入者の考えられる不正使用を種々監視しなければならない。他方、特に、ある行先に対してある形式のコールの時間巾が長いという問題もある。
【０００５】
【発明の開示】
本発明の目的は、テレコミュニケーションネットワークの不正使用を加入者ベースで効果的に且つ柔軟に防止することである。
これは、独立請求項に記載した本発明の方法及び構成体によって達成される。本発明の特定の実施形態は、従属請求項に記載する。
本発明は、コール形式に基づき加入者の通信時間巾を監視するための限定パラメータで少なくとも１つの限定テーブルを形成し、そして個々の加入者へのこの限定テーブルの適用を加入者特有のデータにおける状態パラメータで指示するという考え方をベースとする。再送コール又は移動発信コールのようなコール形式に基づき、状態パラメータが「オン」にセットされた加入者に対して限定テーブルから正しい限定パラメータが検索され、そしてその限定パラメータに含まれた制限値を使用して、長い時間巾のコールを検出しそして指示する。本発明の１つの実施形態では、限定パラメータは、コール形式及びコール方向に基づいて適用するように形成される。
【０００６】
本発明による方法の効果は、ネットワークオペレータがコールの時間巾をコール形式に基づいて限定できることである。更に、この限定は、加入者個人個人に向けることができる。このシステムは、転送コール及び再送コールを含む加入者のコールの時間巾をオペレータが監視しそして制限するためのツールを与える。  本発明による方法の別の効果は、限定パラメータの管理が簡単なことである。  本発明による構成体の効果は、加入者データファイルが著しく大きくならず、せいぜい個々の限定状態を伴うだけであることである。
【０００７】
【発明を実施するための最良の形態】
以下、添付図面を参照して、本発明の好ましい実施形態を詳細に説明する。
本発明は、いかなるテレコミュニケーションネットワークにも適用できる。本発明は、一例としてデジタル移動通信システムＧＳＭを使用することにより詳細に説明する。図１は、上述したＧＳＭネットワークの簡単な構造を示す。ＧＳＭシステムは、ＧＳＭ仕様書及び文献「移動通信用のＧＳＭシステム(The GSM System for Mobile Communications)」、Ｍ．モーリ及びＭ．ポーテット、パライゼウ、フランス、１９９２年、ＩＳＢＮ：２−９５０７１９０−０−７に説明されており、詳細についてはこれを参照されたい。
【０００８】
図２は、本発明による限定テーブルの一例を示す。このテーブルの横行の第１インデックスは、コール形式に関連し、そしてこのテーブルの縦欄の第２インデックスは、コール方向に関連している。図２の例では、コール形式は、移動発信コールＭＯ、コール転送ＣＴ、コール再送ＣＦ、データコールＤＡＴＡ、及び全コールＡＬＬである。この図の欄は、異なる被呼国「国１−４」等を表わす。例えば、限定テーブルが適用されるべき加入者が「国３」へのコール転送を実行するときには、コール時間巾が２０分に限定され、その後、コールは解除される。コール方向分割は、図２に示す国コードと異なるものでもよい。コール方向分割の他の例は、ゾーン、ルート方向による分割、及び／又は国内及び国際コールへの分割である。コール方向分割は、組合せることもできるが、このときには、異なる分割グループ間にプライオリティを確立しなければならない。
【０００９】
この限定テーブルにおいて、制限値は、コールを持続できる最大時間を与え、そして任意のアクションパラメータは、その時間限界に到達した後に実行されるべきアクションを定義する。限界値に遭遇したときに取られるアクションは、公知技術に基づくネットワーク要素特有のアクションである。限定テーブルが形成されるときには、制限値を適当な時間周期にセットすることができ、そしてアクションパラメータは、ネットワークオペレータにレポート（報告）を与え、ネットワークオペレータにアラームを与え、及び／又はコールを終了する等の適当なアクションにセットすることができる。コールを終了する以外のアクションは、加入者にとって透過的である。
【００１０】
本発明の第１の実施形態が図３にフローチャートとして示されている。段階３０において、ネットワークオペレータ又は他の専門家が少なくとも１つの限定テーブルを作成する。このテーブルは、ネットワーク特有であるか、ネットワーク要素特有、例えば、ＭＳＣ特有であるか、又は加入者特有である。このテーブルは、ネットワーク要素に記憶することができ、例えば、交換センターＭＳＣ又はビジター位置レジスタＶＬＲに関連して記憶することができるし、或いはホーム位置レジスタＨＬＲのようなデータベースに記憶することもできる。段階３１において、少なくとも何人かの加入者に対し限定状態が「オン」にセットされる。好ましくは、この状態は、ホーム位置レジスタＨＬＲの加入者情報又は他の当該加入者特有データにおいてセットされる。限定状態がＨＬＲに記憶される場合には、加入者がローミングするときにＨＬＲからＭＡＰインターフェイスを経てＶＬＲへそれが転送される。限定状態を加入者ごとに「オン」又は「オフ」にセットするのが効果的である。段階３０及び３１は、ネットワークにおいて１回実行されるだけでよく、コールごとに別々に実行されなくてもよい。その後、個々の加入者の限定状態は、必要が生じたときに、変更することができる。コールの始めに、コールを制御する要素は、限定状態が加入者に対して「オン」にセットされているかどうかチェックする（段階３２）。加入者データの限定状態が「オフ」であるか又はセットされていない場合には、コールの取り扱いは、公知技術に基づいて続けられる。限定状態が「オン」であるときには、本発明による方法が段階３３において続けられる。次いで、コールを制御する要素は、コール形式を決定し（段階３３）そしてコール方向を決定する（段階３４）。これらのインデックスに基づき、限定パラメータが限定テーブルから検索される（段階３５）。限定パラメータは、時間限界と、おそらくアクションパラメータとを含む。限定パラメータは、当該コールに関して適用されるべきである。好ましくは、時間限界との遭遇がタイマー又はカウンターによって監視される。段階３６において、タイマーがセットされ、次いで、タイマーは、コールの時間巾の監視をスタートする。段階３７において、タイマーが時間切れしたかどうかのチェックが行われ、タイマーの時間切れは、検索された時間限界に遭遇したことを意味する。もしそうでなければ、コールが終了したかどうかチェックされる（段階３８）。もしそうでなければ、段階３７において監視が続けられる。コールの時間巾としてセットされた時間限界に到達する前にコールが終了したときに監視が終了される。タイマーが時間切れしたときには、限定パラメータに基づくアクション又はネットワーク要素特有のアクションが実行される（段階３９）。
【００１１】
本発明の別の実施形態では、コール限定は、移動発信コール、コール転送、コール再送、又はデータコールのようなコール形式のみをベースとすることができる。限定パラメータは、一次元の限定テーブルにおいて異なるコール形式に対してセットされ、そしてコール時間巾限定が加入者に適用できるとき、即ち加入者データの限定状態が「オン」であるときに、当該時間限界が異なるコール形式に対して限定テーブルから検索される。１つのコールに対して多数の時間限界がある場合に、例えば、サービス制御ポイントＳＣＰが時間巾を制限するときには、加入者特有の時間限界が限定テーブルによって与えられ、そしてネットワーク要素特有の時間限界が存在するときには、最も短い時間限界を選択することができる。
【００１２】
図４は、本発明による構成体の構造の一例を示す。この構成体は、公知技術に基づく加入者情報４１を含む。本発明によれば、この構成体は、限定テーブルファイルを伴う記憶装置４２と、限定テーブルから正しい限定パラメータを検索するための検索手段４３と、本発明に基づき発呼加入者から被呼加入者への加入者の通信を監視する監視手段４４とを備えている。監視手段４４は、限定テーブルにインデックスとして使用されるコール特性、例えば、コール形式及びおそらくコール方向を決定する。これらの特性は、検索手段４３へ転送され、該検索手段は、その与えられた特性に関連した時間限界及びアクションパラメータを限定テーブルから検索する。検索された限定パラメータは、監視手段４４に転送され、該監視手段は、検索された時間限界に基づいてコールの時間巾を監視する。時間限界に遭遇すると、アクションパラメータにより定義されたアクション又はネットワーク要素特有のアクションが実行される。監視手段４４の出力は、ネットワークのオペレータに与えることができる。記憶装置４２は、交換センターＭＳＣ、ビジター位置レジスタＶＬＲ、ホーム位置レジスタＨＬＲ又は他の当該ネットワーク要素に配置することができる。検索手段４３及び監視手段４４は、図４に示すように、交換センターＭＳＣに関連して配置することができる。
【００１３】
添付図面及びそれを参照した上記説明は、本発明の原理を例示するものに過ぎない。本発明は、主として、ＧＳＭネットワークについて説明したが、ワイヤレスローカルエリアネットワークＷＬＡＮのような他のテレコミュニケーションネットワークにも使用することができる。本発明による方法の細部は、特許請求の範囲内で種々変更可能である。ここでは、「コール」という用語は、スピーチコール以外の通信、例えば、データコールも指すものとする。上述したように、各加入者のデータは、限定テーブルの値が加入者に対して使用されるかどうかの参照を含むのが好ましいが、本発明は、部分的にのみ実施することもできる。例えば、あるネットワーク要素において限定テーブルが使用されないときには、公知技術に基づき、ネットワーク要素特有のデフォールト値を用いて不正防止を行うこともできるし、或いはホーム加入者については本発明による加入者ベースでそしてローミング加入者については共通のデフォールト値に基づいて制限を実施することもできる。又、本発明による限定テーブルを作成するときには、分割に対して上記とは別のベースを使用することもできる。或いは又、限定テーブル及び本発明の他の機能は、インテリジェントネットワークＩＮにおいて実施することもできる。
【図面の簡単な説明】
【図１】  本発明にとって重要な移動通信ネットワークの部分を示す図である。
【図２】  本発明による限定テーブルの構造の一例を示す図である。
【図３】  本発明による方法の第１実施形態を示すフローチャートである。
【図４】  本発明による構成体のブロック図である。
【図１】
0003712618.tif 000002
【図２】
0003712618.tif 000003
【図３】
0003712618.tif 000004
【図４】
0003712618.tif 000005